(57)【要約】【課題】カメラ等の結像デバイスを、撮像レンズのイメージサークルをカバーする大きさにすることにより、撮影時にカメラとその付属品の構えの変動（横位置、縦位置、水平の調整等）をなくし、後の情報処理での取り扱いをも便利にする。【解決手段】結像デバイスを、撮像レンズのイメージサークルをカバーする大きさにすることにより達成する。【選択図】  図１
2006352817.tif 000002
【特許請求の範囲】
【請求項１】
カメラ等の撮像レンズのイメージサークルを充分にカバーする大きさで円形若しくは四角形或いは多角形等の結像デバイス。
【発明の詳細な説明】
【技術分野】
【０００１】  本発明は、カメラ等の結像デバイスに関する。
【背景技術】
【０００２】  従来、カメラ等の結像デバイスは、撮像レンズのイメージサークルの直径以下の対角線長さをもつ長方形のものであった。
【発明の開示】
【発明が解決しようとする課題】
【０００３】  これは次のような欠点があった。【０００４】  横位置での状態から縦長の長方形の写真を撮ろうとしたときは、カメラ等を左右どちらかに９０度回転して撮影しなければならない。【０００５】  カメラに装着した閃光ライトを使用し、横位置・縦位置を切り替えて撮影するときは、ライトも同様９０度回転してしまう。ライトの光源を同じ相対位置にしようとした場合はライトの横縦位置の切り替えにはかなり複雑な装置を使用しなければならない。または、閃光ライトをカメラから離して別のスタンド等に取り付けなければならない。【０００６】  至近距離で撮影する場合、横縦位置の切り替え時は、撮影する被写体の中心位置が大幅にずれる。これを無くすにはかなり複雑な装置を使用しなければならない。【０００７】  水平或いは垂直が重要な被写体を撮影する時は、カメラの傾きの調整に手間を要する。【０００８】  いわゆるパノラマ写真を撮るときは、結像面の上下部をかなり大幅に覆って撮影していた為、結像デバイス或るいはフィルムにかなりの無駄が生じる。【０００９】  偏光フィルターを使用して撮影する場合、横位置・縦位置を切り替えて撮影するときは、フィルターは９０度逆回転し元に戻す必要がある。【００１０】  露出を変えて複数回撮影するとき、横位置と縦位置とで二倍の記録が必要である。【００１１】  ムービー（動画）を撮影する場合は、横位置での撮影が殆どであった。【００１２】  本発明は、これらの欠点を除く、或いは軽減する為になされたものである。
【課題を解決するための手段】
【００１３】  結像デバイスを撮像レンズのイメージサークルの直径以上をカバーする大きさにすることにより、撮像レンズの全情報を結像デバイスを通じ記録することができる。この情報は後の情報処理方法により、横・縦位置写真、横・縦のパノラマ写真や円形写真、多角形写真等自由に処理できる。勿論、カメラや閃光装置は構えたままで動かす必要が無い。僅かの水平位置の傾きも後の処理で修正できる。動画（ムービー）を撮影したときは、映像の発信において、横位置のみならず縦位置、パノラマ（横・縦）、円形その他の形状等時間的に切り替えてできる。本発明は、以上のような効果をもたらす結像デバイスであることを特徴とする。
【発明の効果】
【００１４】  カメラ等の撮像レンズのイメージサークルを充分にカバーする大きさ・形状の、円形若しくは四角形或いは多角形等の結像デバイスとすることにより、撮像レンズの全性能を記録することができる。このことにより、以下のような効果が生じる。【００１５】  カメラを回転させることなく、横位置・縦位置の目的とする写真を容易に撮影することができる。【００１６】  閃光ライト等で写真を撮る場合、カメラも閃光ライトも回転させることなく横位置・縦位置で照明効果が同一の、目的とする写真を容易に撮影することができる。【００１７】  カメラの水平位置からの傾きを気にすることなく撮影することができる。この場合、水平検知装置をカメラに取り付けておき、この情報を結像デバイスに撮影された像と同時に記録しておけば、後の情報処理での修正が容易にできる。【００１８】  撮影した写真は、縦横の比率が１：１の正方形から縦長・横長のパノラマ型の短冊形状まで、或いは円形、楕円形、多角形と自由に後処理でできる。尚、あらかじめ目的とする写真の形状が決まっておれば、情報記録装置の容量を節減するために、カメラの記録装置やファインダーに撮影選択範囲を指令する機能を付加すればよい。【００１９】  偏光フィルターを使用して、横位置・縦位置の目的とする写真を撮影する場合、フィルターを回転し直し偏光方向を元に戻す必要がない。【００２０】  露出を変えて数回の撮影をする場合、横位置と縦位置とを区別して記録する必要がないので、記録数は二分の一になる。【００２１】  動画カメラにこのデバイスを装着すれば、後処理で横・縦位置やパノラマ（横・縦）、円形・楕円形等の発信が可能な動画を記録することができる。【００２２】  以上のようにきわめて便利で有効である。
【発明を実施するための最良の形態】
【００２３】  以下、本発明の実施の形態を図面に基づき説明する。【００２４】  図１は本発明の実施の形態の概念斜視図である。【００２５】  結像デバイス５を本例では八角形で示してあるが、撮像レンズ３のイメージサークル６をカバー（包含）していれば同心円形でも楕円形でもかまわない。【００２６】  撮像レンズの有効範囲１の全情報が結像デバイス５に結像してあれば、カメラが横位置のまま従来の横位置の画像の範囲７は勿論のこと、縦位置での画像８やその他の縦横比の画像や円形・楕円形の画像も切り取れる。【００２７】  また、この結像デバイスを有するカメラ等に水平位置検知機構を内蔵し、その情報をこの結像デバイスに同時記録するようにしておくことにより、容易に正確な水平・垂直の記録と出力ができる。【００２８】  また、この結像デバイスを、いわゆる一眼レフカメラに装備するときは、ミラーを結像デバイスに応じ大きくする必要があるが、現在のデジタル一眼レフの多くは、結像デバイスの大きさが従来の３５ミリサイズより、対角線寸法で約６７％のいわゆる小型のＡＰＳサイズに近い大きさであるので、設計の工夫によりカメラの大型化への影響は小さくできる。【００２９】  また、将来、高細密なＥＶＦ（電子ビューファインダー）が容易に供給されるようになれば、一眼レフの欠点（ミラー用の空間が要る、ミラーショックが在る、ミラー作動によるシャッタータイムラグが在る、ファインダーの消失時間が長い等）を取り除いた、小型・軽量・タイムラグが極小のカメラが出現する。
【図面の簡単な説明】
【図１】  本発明の使用例で示す、概念斜視図である。
【符号の説明】
【００３０】  １      従来の写る範囲
２      撮像レンズの有効範囲
３      撮像レンズ
４      カメラ
５      結像デバイス
６      イメージサークル
７      従来の横位置の画像の範囲
８      縦位置での画像
【図１】
2006352817.tif 000003
【手続補正書】
【提出日】平成18年3月6日(2006.3.6)
【手続補正１】
【補正対象書類名】特許請求の範囲
【補正対象項目名】全文
【補正方法】変更
【補正の内容】
【特許請求の範囲】
【請求項１】
カメラ等のその主な撮像レンズである標準レンズのイメージサークルを充分にカバーする大きさで円形若しくは四角形或いは多角形等の結像デバイス。
【手続補正２】
【補正対象書類名】明細書
【補正対象項目名】全文
【補正方法】変更
【補正の内容】
【発明の詳細な説明】
【技術分野】
【０００１】
本発明は、カメラ等の結像デバイスに関する。
【背景技術】
【０００２】
従来、カメラ等の結像デバイスは、撮像レンズのイメージサークルの直径以下の対角線長さをもつ長方形のものであった。
【発明の開示】
【発明が解決しようとする課題】
【０００３】
これは次のような欠点があった。
【０００４】
横位置での状態から縦長の長方形の写真を撮ろうとしたときは、カメラ等を左右どちらかに90度回転して撮影しなければならない。
【０００５】
カメラに装着した閃光ライトを使用し、横位置・縦位置を切り替えて撮影するときは、ライトも同様90度回転してしまう。ライトの光源を同じ相対位置にしようとした場合はライトの横縦位置の切り替えにはかなり複雑な装置を使用しなければならない。または、閃光ライトをカメラから離して別のスタンド等に取り付けなければならない。
【０００６】
至近距離で撮影する場合、横縦位置の切り替え時は、撮影する被写体の中心位置が大幅にずれる。これを無くすにはかなり複雑な装置を使用しなければならない。
【０００７】
水平或いは垂直が重要な被写体を撮影する時は、カメラの傾きの調整に手間を要する。
また、宇宙、水中、学術、事故、事件、防犯カメラ等の調査・捜査等を記録の場合、一度のショットでできるだけ多くの情報を記録する必要があるが、従来は四角形に記録する事で、レンズのイメージサークル内の全情報の約65パーセント以下の情報しか記録していない。
【０００８】
いわゆるパノラマ写真を撮るときは、結像面の上下部をかなり大幅に覆って撮影していた為、結像デバイス或るいはフィルムにかなりの無駄が生じる。
【０００９】
偏光フィルターを使用して撮影する場合、横位置・縦位置を切り替えて撮影するときは、フィルターは90度逆回転し元に戻す必要がある。
【００１０】
露出を変えて複数回撮影するとき、横位置と縦位置とで二倍の記録が必要である。
【００１１】
ムービー（動画）を撮影する場合は、横位置での撮影が殆どである。
【００１２】
本発明は、これらの欠点を除く、或いは軽減する為になされたものである。
【課題を解決するための手段】
【００１３】
結像デバイスをカメラ等のその主な撮像レンズである標準レンズのイメージサークルの直径以上を充分にカバーする大きさにすることにより、撮像レンズの全情報を結像デバイスを通じ記録することができる。この情報は後の情報処理方法により、横・縦位置写真、横・縦のパノラマ写真や円形写真、多角形写真等自由に処理できる。勿論、カメラや閃光装置は構えたままで動かす必要が無い。僅かの水平位置の傾きも後の処理で修正できる。動画（ムービー）を撮影したときは、映像の発信において、横位置のみならず縦位置、パノラマ（横・縦）、円形その他形状等時間的に切り替えて従来より自由な表現ができる。本発明は、以上のような効果をもたらす結像デバイスであることを特徴とする。
【発明の効果】
【００１４】
カメラ等のその主な撮像レンズである標準レンズのイメージサークルを充分にカバーする大きさ・形状の、円形若しくは四角形或いは多角形等の結像デバイスとすることにより、撮像レンズの全性能および撮影情報を記録することができる。このことにより、以下のような効果が生じる。
【００１５】
カメラを回転させることなく、横位置・縦位置の目的とする写真を容易に撮影することができる。
【００１６】
閃光ライト等で写真を撮る場合、カメラも閃光ライトも回転させることなく横位置・縦位置で照明効果が同一の、目的とする写真を容易に撮影することができる。
【００１７】
カメラの水平位置からの傾きを気にすることなく撮影することができる。この場合、水平（垂直）検知装置をカメラに取り付けておき、この情報を結像デバイスに撮影された像と同時に記録しておけば、後の情報処理での修正が容易にできる。
【００１８】
撮影した写真は、縦横の比率が1：1の正方形から縦長・横長のパノラマ型の短冊形状まで、或いは円形、楕円形、多角形と自由に後処理でできる。尚、あらかじめ目的とする写真の形状が決まっておれば、情報記録装置の容量を節減するために、カメラの記録装置やファインダーに撮影選択範囲を指令する機能を付加すればよい。また、宇宙、水中、学術、事故、事件、防犯カメラ等の調査・捜査を記録する場合、一度のショットでできるだけ多くの情報を記録する必要があるが、レンズのイメージサークル内の全情報が記録できるので有効である。
【００１９】
偏光フィルターを使用して、横位置・縦位置の目的とする写真を撮影する場合、フィルターを回転し直し偏光方向を元に戻す必要がない。
【００２０】
露出を変えて数回の撮影をする場合、横位置と縦位置とを区別して記録する必要がないので、記録数は二分の一になる。
【００２１】
動画カメラにこのデバイスを装着すれば、後処理で横・縦位置やパノラマ（横・縦）、円形・楕円形等の発信が可能な動画を記録することができる。
【００２２】
以上のようにきわめて便利で有効である。
【発明を実施するための最良の形態】
【００２３】
以下、本発明の実施の形態を図面に基づき説明する。
【００２４】
図1は本発明の実施の形態の概念斜視図である。
【００２５】
結像デバイス5を本例では八角形で示してあるが、撮像レンズ3のイメージサークル6を充分にカバー（包含）していれば同心円形でも楕円形でもかまわない。
【００２６】
撮像レンズの有効範囲1の全情報が結像デバイス5に結像してあれば、カメラが横位置のまま従来の横位置の画像の範囲7は勿論のこと、縦位置での画像8やその他の縦横比の画像や多角形、円形・楕円形の画像も切り取れる。
【００２７】
また、この結像デバイスを有するカメラ等に水平位置検知機構を内蔵し、その情報をこの結像デバイスに同時記録するようにしておくことにより、容易に正確な水平・垂直の記録と出力ができる。
【００２８】
また、この結像デバイスを、いわゆる一眼レフカメラに装備するときは、ミラーを結像デバイスに応じ大きくする必要があるが、現在のデジタル一眼レフの多くは、結像デバイスの大きさが従来の35ミリサイズより、対角線寸法で約６７％のいわゆる小型のAPSサイズに近い大きさであるので、設計の工夫（下方への移動或いはミラーの上下２分割等）によりカメラの大型化への影響は小さくできる。
【００２９】
また、ミラーを半透過固定式とするか、将来、高細密なEVF(電子ビューファインダー)が容易に供給されるようになれば、一眼レフの欠点（ミラー移動用の空間が要る、ミラーショックが在る、ミラー作動によるシャッタータイムラグが在る、ファインダーの消失時間がある等）を取り除いた、小型・軽量・タイムラグが極小のカメラが出現する。
【図面の簡単な説明】
【００３０】
【図１】本発明の使用例で示す、概念斜視図である。
【符号の説明】
【００３１】
１      従来の写る範囲
２      撮像レンズの有効範囲
３      撮像レンズ
４      カメラ
５      結像デバイス
６      イメージサークル
７      従来の横位置の画像の範囲
８      縦位置での画像